(57)【要約】【課題】調整が容易で、省スペースな平面型液晶表示画面用の支持装置を提供する。【解決手段】平面型液晶表示画面（１２）を支持するための装置は、負荷支持構造（１６）に連結したアーム（１４）と、アーム（１４）と表示画面（１２）との間に設置された関節式機構（１８）とを備えている。負荷支持構造は所定の軸方位（ＸＸ）を持つ水平方向の通路（３２）を画定するように位置合わせされた２つの開口部（１０８、１１０）を有する水平方向に離れた２枚のウォール（１０４、１０６）を有するスターラップ部（２０）を備え、該水平方向の通路はアーム（１４）が張り出すよう挿通可能となっている。アームは円筒状のウォールを有するチューブ（２８）からなり、開口部（１０８、１１０）の少なくとも一端部はコーナー効果によりチューブの並進及び回転を確実に固定すべくＶ字型をなす。本発明はコンピュータワークステーションにおいて使用可能である。【選択図】図１
2004522920.tif 000002
【特許請求の範囲】
【請求項１】
特にコンピュータワークステーションで用いられる平面型液晶表示画面（１２）用の支持装置において、該支持装置は、保持構造（１６）との接続に適したアーム（１４）と、前記アームと前記表示画面との間に配置された関節式機構（１８）とを備え、前記保持構造が、水平方向に離れた２つのウォール（１０４、１０６）を有し、カンチレバーのアーム（１４）が挿通可能な所定の軸方向（ＸＸ）を有する水平方向の通路（３２）を画定する２つの開口部（１０８、１１０）を有するスターラップ（２０）を備えていることを特徴とする支持装置。
【請求項２】
請求項１に記載の装置において、前記アームは円筒状ウォールを有するチューブ（２８）を備え、前記開口部（１０８、１１０）のうちの少なくとも１つは、くさび作用によってチューブを並進方向および回転方向に固定するためのＶ字型の端部を備えていることを特徴とする装置。
【請求項３】
請求項２に記載の装置において、前記スターラップ（２０）の２つの開口部（１０８、１１０）はＶ字型の端部（１１２、１１４）を有しており、前記２つのＶ字型の端部は互いに上下逆さになるように、一方は上向きに他方は下向きに配置されていることを特徴とする装置。
【請求項４】
請求項２または３に記載の装置において、前記Ｖ字型端部のそれぞれは、その間に特定の角度（Ａ）をなす２本の直線辺（１１６）によって画定され、前記２本の直線辺（１１６）は、前記チューブの直径よりわずかに大きな直径を有する円弧辺（１１８）につながることを特徴とする装置。
【請求項５】
請求項４に記載の装置において、前記特定の角度（Ａ）は５０°から７０°の間であり、好ましくは６０°であることを特徴とする装置。
【請求項６】
請求項１〜５のいずれか１項に記載の装置において、前記スターラップの２つのウォール（１０４、１０６）は、互いに連結された２つのシェル（１００、１０２）の一部であることを特徴とする装置。
【請求項７】
請求項１〜６のいずれか１項に記載の装置において、前記スターラップは、前記水平方向の通路（３２）の軸方向（ＸＸ）とほぼ直交する軸方向（ＹＹ）を有する垂直方向の筒状通路（１３０）を備え、前記垂直方向の通路には、前記保持構造の一部である垂直方向のポール（２２）が挿通し、カンチレバーによるくさび作用によって、ポール（２２）に対する所定の軸方向および角度位置に前記スターラップが固定されることを特徴とする装置。
【請求項８】
請求項６および７に記載の装置において、前記シェル（１００、１０２）のそれぞれは、もう一方のシェルにおける同形の上部ノッチと合わさるように形成された円弧状の上部ノッチ（１２４）を有する上方稜部（１２２）と、もう一方のシェルにおける同形の下部ノッチと合わさるように形成された円弧状の下部ノッチ（１２８）を有する下方稜部（１２６）とを備えていることを特徴とする装置。
【請求項９】
請求項７および８に記載の装置において、前記スターラップ（２０）は、スターラップを所定の軸方向および角度位置に固定するためのネジ型の固定部材（１３６）をさらに備えていることを特徴とする装置。
【請求項１０】
請求項１〜９のいずれか１項に記載の装置において、前記アームは、スターラップ（２０）の水平方向の通路（３２）に滑動するように作成された第１の筒状部（２８）と、第１の筒状部（２８）に滑動し、ボール（３６）を支持するよう作成された第２の筒状部（３０）とを備える伸縮自在のチューブ（１４）であることを特徴とする装置。
【請求項１１】
請求項１０に記載の装置において、前記チューブの第１の筒状部（２８）と第２の筒状部（３０）とは、それぞれ円筒形状を有し、相互の回転方向固定手段（３４）を備えていることを特徴とする装置。
【発明の詳細な説明】
【技術分野】
【０００１】
本発明は、オフィス用機器に関し、特に、コンピュータ機器に関する。
【０００２】
特に、本発明は、平面型液晶表示画面用の支持装置、とりわけコンピュータワークステーションに適した平面型液晶表示画面用の支持装置に関する。
【背景技術】
【０００３】
周知のように、平面型液晶表示画面の使用は、コンピュータワークステーション、とりわけ金融機関やトレーディングルーム向けのコンピュータワークステーションにおいてますます増加している。
【０００４】
実際に、平面型液晶表示画面を用いることでユーザーが享受できる省スペース性や視覚的利便性ゆえに、平面型液晶表示画面は有利であり、従来のＣＲＴ画面に取って代わっている。
【０００５】
平面型液晶表示画面用の支持装置としては、アームと、アームと表示画面との間に設置した関節式機構とからなる支持装置が知られている。
【発明の開示】
【発明が解決しようとする課題】
【０００６】
通常、このようなタイプの装置においては、アームは保持構造に接続されており、また互いに連節された複数の部分によって構成されている。このように複数の部分からなっているアームはかさばることが多く、さらにはワークステーションに設置するのに多くのスペースが必要な頑丈な保持構造を用いることが必要となる。
【０００７】
さらに、一般的にアームは保持構造に取り外し不能に接続されており、このため、アームに保持された関節式機構に平面型表示画面をそのままの位置で直接取り付けなくてはならなくなっている。それぞれのワークステーションにおける制限を考慮すると、この取り付けを「ブラインド」状態で実施しなければならず、実務上多くの問題が生じることとなる。
【０００８】
さらに、これらの支持装置は調整が困難であるうえに、調整した位置から簡単にずれてしまう。
【０００９】
最後にこれら既知の装置は、金融機関やトレーディングルームなどに見られ、それぞれに自身の機器が収容される２つの机が互いに向き合うように配置されたダブルワークステーションにはほとんど適合していない。
【００１０】
いずれにしても、これらの周知の支持装置は過剰に大きく、したがって、平面型液晶表示画面には不適合である。
【００１１】
要するに、平面型表示画面を用いることにより得られる省スペース性に関する利点は、支持装置自体がかさばっていることによって、ほとんど、少なくとも部分的に失われてしまうのである。
【００１２】
特に、本発明の目的は上記の欠陥を克服することにある。
【００１３】
とりわけ、本発明の目的は、簡潔な構造を有し、容易に設置することが可能な平面型液晶表示画面用の支持装置を提供することである。
【００１４】
本発明の他の目的は、大きなスペースを必要とすることなくワークステーションに設置することができる支持装置を提供することである。
【００１５】
本発明の他の目的は、さまざまな液晶表示画面に適合した支持装置を提供することである。
【００１６】
本発明の他の目的は、平面型表示画面の位置調整が容易で、調整可能位置が多様であり、平面型表示画面が調整した位置からはずれることのない支持装置を提供することである。
【課題を解決するための手段】
【００１７】
上記の目的を達成するため、本発明においては、最初の定義として、水平方向に離れて配置された２つのウォールを有し、カンチレバーのアームの挿通に適合した特定の軸方向を有する通路を画定するように位置合わせされた２つの開口部を有するスターラップが備えられている保持構造を含んだ支持装置を提案する。
【００１８】
表示画面とアームのカンチレバーによって、スターラップにモーメントが発生し、アームがスターラップの２つの開口部に嵌め込まれる。こうすることで、該アームが、その終端部に表示画面が搭載された調節可能なブラケットとなる。
【００１９】
本発明の好適な実施形態によると、アームは円筒状のウォールを有するチューブを備えており、一方で、くさび作用によってチューブを並進方向および回転方向に固定するために、少なくとも開口部の一方がＶ字型の端部を備えている。
【００２０】
このように嵌め込むことで、チューブ自体が回転することを防止し、回転方向に固定することが可能となる。したがって、該チューブは特定の軸方向および角度位置においてスターラップ内に設置され、位置合わせされた開口部のうちの少なくとも１つが有する独特の形状によって得られる簡易な固定作用によって、その位置に保持される。
【００２１】
さらに、アームがスターラップに取り外し不能に接続されるため、アームは最初に表示画面に関節式機構によって固定され、その後、該アームがスターラップに画定された通路に設置される。
【００２２】
このように、平面型表示画面の取り付けは容易となる。つまり、固定点が表示画面の真後ろにあり、取り付けをブラインド状態で行わなければならない既知の装置とは異なり、本発明の装置では、固定点を見ながら取り付けを行うことが可能となる。
【００２３】
スターラップの２つの開口部の両方共がＶ字型の端部を有しており、その２つのＶ字型の端部が逆さに配置、すなわち一方が上向きでもう一方が下向きに配置されていることが好ましい。
【００２４】
本発明の好適な実施形態においては、互いに所定の角度をなし、チューブの直径よりわずかに大きな直径を有する円弧辺につながった２本の直線辺によってＶ字型の端部がそれぞれ画定されている。
【００２５】
上記の角度は５０°から７０°から選択されるとよく、６０°であることがさらに好ましい。
【００２６】
スターラップの２つのウォールが、互いに結合した２つのシェルの一部であることが好ましい。
【００２７】
本発明のさらなる特徴によると、該スターラップは水平通路にほぼ直交する軸方向を有した垂直の筒状通路を備えており、該垂直の通路には、保持構造の一部である垂直筒状ポールが挿通可能となっており、カンチレバーによるくさび作用によって、ポールに対する特定の軸方向および角度位置にスターラップを固定することが可能となっている。
【００２８】
したがって、スターラップをポールに沿って容易に移動させることおよび所望の高さおよび方位に設置することが可能となっている。該スターラップは、ポールのオーバーハング作用によって所定の位置に自動的に留めることが可能である。安全面の理由からもし必要であれば、以下に示すように、確実な固定手段を作成することも可能である。
【００２９】
上記シェルは、もう一方のシェルにおける同形の上部ノッチと合わさることのできる円弧形状の上部ノッチを有する上方稜部と、もう一方のシェルにおける同形の下部ノッチと合わさることのできる円弧形状の下部ノッチを有する下方稜部とを備えていることが好ましい。
【００３０】
スターラップは、特定の軸方向および角度位置に該スターラップを固定するためのネジ型の固定部材を備えていることが好ましい。
【００３１】
本発明のさらなる特徴によると、アームは、スターラップの水平方向の通路に滑動するように作成された第１の筒状部と、第１の筒状部に滑動し、ボールを支持するよう作成された第２の筒状部とを備える伸縮自在のチューブである。
【００３２】
該チューブの第１の部分と第２の部分とは、それぞれ円筒形状を有しており、相互の回転方向固定手段を備えていることが好ましい。
【発明を実施するための最良の形態】
【００３３】
以下の例示のための説明においては、添付の図面を参照する。
【００３４】
最初に、例えばコンピュータワークステーションにおいて用いられる液晶タイプの平面型表示画面１２を支持するための装置１０を示した図１を参照する。
【００３５】
装置１０は、ブラケットを形成し、保持構造１６によって支持された状態でほぼ水平に位置するよう配置されるアーム１４を備えている。関節式機構１８はアーム１４と表示画面１２との間に配置される。
【００３６】
保持構造１６は、ここでは円筒状のウォールを有するチューブの形状に形成された垂直ポール２２に沿って垂直方向（２重矢印Ｆ１）に滑動可能な、シューとも呼ばれるスターラップ２０を備えている。ポール２２は、例えばコンピュータデスクなどのワークステーションに、好ましくは調節可能に固定されるように作られた土台２４を備えている。
【００３７】
実施例においては、コンピュータワークステーションに設けられた水平レール２６（概略に示す）に沿って土台２４の位置が調節可能となっている。
【００３８】
ここでは、アーム１４は伸縮自在のチューブ形状に作成されており、該アームは、本実施例では円筒形状の第１の管状部２８と、同様に円筒形状であり第１の管状部２８の内部に滑動可能な第２の管状部３０とを備えている。
【００３９】
管状部２８は、スターラップ２０によって画定された軸ＸＸを有する水平通路３２内を軸方向に滑動および自由に回転することが可能となっている。したがって、管状部２８を、スターラップ２０に対して所定の軸方向および角度位置に合わせることができる。また、矢印Ｆ２で示すように、スターラップをポール２２に対して所定の角度位置に合わせることも可能である。
【００４０】
また、管状部３０を管状部２８に対して軸方向に調節することができ、それにより、表示画面１２とスターラップとの間の距離を、アーム１４の伸縮自在の特性によって広範囲に調節することができる。
【００４１】
管状部２８および３０は、表示画面１２が傾いてカンチレバー位置にある場合に表示画面１２によって発生するトルクが作用することによって、管状部２８に対して管状部３０が回転してしまうのを防止するための相互の回転方向固定手段を備えていることが好ましい。
【００４２】
この相互の固定手段は図１の３４によって概略に表されるように、溝タイプであるとよい。
【００４３】
ここで、図２および４を参照して、関節式機構１８についての説明を行う。図２において、アーム１４（伸縮自在チューブ）は引き出されている状態で示されている。一方で、図４においては、アーム１４は格納された状態で示されている。
【００４４】
関節式機構１８は、中心点Ｃ(図４)を有する半球状表面３８を持つボール３６を備えている。該ボール３６は、図１においてより見やすく示されているように、４つの放射状突出部４０が延在している。これら４つの突出部はそれぞれ９０°に配置され、それぞれ２つの穴部４２を有しており、この穴部によってボール３６が表示画面の裏面４４に固定される。該面にはＶＥＳＡ規格に適合した４つの穴部（図示せず）が設けられている。それぞれの突出部４０に穴部４２が２つ設けられていることにより、ボールを様々なサイズの表示画面に適合させることが可能となっている。
【００４５】
ボール３６はそれ自体が、ケージ４６によって画定された内部収容部４８に収まっている。しかしながら、ケージの内表面は半球状表面３８と同一形状の表面ではない。むしろケージは内側の環状のへり部５０のみが半球状表面３８に接している。そうして、環状の狭い接触面が形成されることとなる。ケージ４６からは、軸方向の筒状通路５４を画定するスリーブ５２が延在している。
【００４６】
アーム１４の管状部３０は、スリーブ５２の周囲に適合した第1の端部５６と、その内部に支持部６０が収められている第２の端部５８とを備えている。その構造は以下において説明する。
【００４７】
ボール１８とケージ４６とはそれぞれ機械的強度が高く摩擦係数の高い物質から形成されている。この点において、ボールとケージとは適切なプラスチック材、特にポリカーボネートタイプの材料から形成されるのがよい。したがって、ボール３８とケージ４６とは、特定のプラスチック材料を射出形成することによって容易に製造することが可能である。
【００４８】
本発明によれば、該装置は、ケージとボールとの間に介在し、一定値の弾性の復元力を加える牽引手段６２も備えており、該牽引手段によりボール３８がケージの環状へり部５０に対して突き当てられる。使用される物質の高い摩擦係数によって、ボールとケージとが弾性的に互いにバイアスされ、その結果、ボールがケージに対して特定の方位において固定される。
【００４９】
上記の実施例において、牽引手段６２は、例えば可撓性のあるケーブル、特にマルチストランドの金属ケーブルであるタイロッド６４を備えている。このタイロッド６４はボールおよびケージを貫通し、ボールの中心点Ｃに設置された、ここでは略円筒形状の第1の終端部６６を備えている。
【００５０】
このため、ボール３８は、終端部６６を収めるための筒状収納部６８と、ボールの裏面７０に孔部とを備えている。この収納部６８は、タイロッドの通路として用いられ、ボールの半球状表面３８に開口する円錐台形の通路７４につながっている。この通路７４は略円錐形状を有しており、終端部６６の収納部につながる狭い開口部７６と、ボールの半球状表面に開いた円形の広い開口部７８とを備えている。
【００５１】
タイロッド６４は、ケージの外側で支持部６０に収められる第２の終端部８０を備えている。このため、タイロッドの端部は調節ナット４８が取り付けられたネジ形状となっており、また、支持部６０の一部である支持リング８６に対して設置された螺旋バネ８４が挿通されている。
【００５２】
さらに詳しく述べると、支持部６０はスリーブ８８を備えており、該スリーブ８８はカラー９０によって終端し、その基部が上記の支持リング８６からなっている。バネ８４は２つのワッシャ、すなわちナット８２に対して置かれたワッシャ９２と支持リング８６に対して置かれたワッシャ９４との間に設置されている。
【００５３】
ボールにかかる軸方向の力Ｆ３と環状のへり部５０に対してかかる横方向の力Ｆ４とは調節することが可能である（図４）ことは当然である。この調節は、剛性バネを慎重に選択しナット８２の軸方向位置を適切に調整することによって可能である。
【００５４】
この調節とボールとケージとを構成する物質の選択とを併せることで、ボールとケージとの間に相当の摩擦力を発生することが可能となり、そうすることで、ボールを選択した方位に固定することができ、さらに表示画面１２によって加えられる重量に関係なくその位置を維持することもできる。
【００５５】
なお、アームの管状部２８の一方側は、リング９５によって終端しており、管状部３０がその内部に滑動する。また、他方側では、円錐状のキャップ９６によって終端している。このキャップによって、調節ナットへの通路を塞ぐことができ、また、アーム１４がスターラップ２０からはずれるのを防止するための止め具が形成される。
【００５６】
図５から７に示すように、ボール３６（すなわち表示画面１２）は、あらゆる方位をとることが可能である。いずれにしても、ボールにかかる牽引力が、ボールのほぼ中央に、アームの軸方向に加えられる。タイロッドの円錐台形の通路７４によって、ボールの可動範囲を大きくすることが可能となっている。これにより、アーム１４自体が伸縮自在であることと、ポール２２に対して高さと方位とを調節可能なスターラップによってアーム１４が保持されていることとを併せて、あらゆる位置もしくは方位に調節することが可能となる。
【００５７】
ここで、図１から３と図８および９を参照して、スターラップ２０の構造の説明を行う。
【００５８】
スターラップ２０は、ほぼ同形の２つの部分すなわちシェル１００と１０２とからなっており、該シェルはポール２２の両側方にそれぞれ配置され、互いに連結されている。シェル１００は表示画面１２に対向した側に位置し、シェル１０２はその反対側に位置している。
【００５９】
シェル１００および１０２は、水平方向に離れて配置されたウォール１０４および１０６を有しており、該ウォールには軸方向ＸＸの水平通路３２を画定するように位置合わせされた２つの開口部１０８と１１０とが設けられている。
【００６０】
２つの開口部１０８および１１０はＶ字型の端部、具体的には１１２および１１４をそれぞれ有しており、この２つの端部は互いに上下逆さになるように配置されている。開口部１０８の端部１１２は下向きであり、開口部１１０の端部１１４は上向きである（図１参照）。これらの端部、例えば端部１１２は、その間に特定の角度Ａ（通常は５０°から７０°、本例では６０°(図８)）をなす、２本の直線辺１１６によって画定されている。これら２本の直線辺１１６は、アームの管状部２８の直径よりわずかに大きな直径を有する円弧辺１１８につながっている。
【００６１】
開口部１０８の直線辺１１６は、完全なＶ字型とはならず、横方向の辺１２０によって互いにつながれている。
【００６２】
したがって、アームの管状部２８は通路３２を軸方向に滑動でき、特定の軸方向位置および角度位置において固定することが可能となっている。さらに、管状部３０は、管状部２８に対して軸方向に滑動させることによって簡単に移動させることが可能であり、すでに説明したように表示画面のさらなる調節ができるようになっている。
【００６３】
このように、管状部２８は、管状部２８の管状ウォールと上下反対方向を向いた２つのＶ字型端部との相互作用によって、スターラップに対して所定の位置に固定される。
【００６４】
より簡潔な例においては、２つの開口部のうちの一方のみにＶ字型端部を設けるようにすることも可能である。シェルのそれぞれ、例えばシェル１００は、もう一方のシェルにおける同形の上部ノッチと合わさるように形成された円弧状の上部ノッチ１２４を有する上方稜部１２２と、もう一方のシェルにおける同形の下部ノッチと合わさるように形成された円弧状の下部ノッチ１２８を有する下方稜部１２６とを備えている。
【００６５】
したがって、該シェルが互いに向き合って配置されている場合、互いに向き合った２つの上部ノッチと互いに向き合った２つの下部ノッチとが、水平方向の通路３２の軸方向ＸＸとほぼ直交する軸方向ＹＹを特定する垂直方向の筒状通路１３０を画定する役割を果たす（図１）。この垂直方向の通路は、上述の垂直筒状ポール２２が挿通するように設計されている。
【００６６】
シェル１００と１０２とは概して同一の形状であり、金属材料を成形することで作成するとよい。
【００６７】
２つのシェルは、シェル１００の２つの円形開口部１３４を貫通し、シェル１０２のネジ山付き通路に螺合する２つのネジ１３２によって連結される（図３）。
【００６８】
スターラップ２０は、スターラップを所定の角度および軸方向位置に締めるためのネジ型の固定部材１３６も備えている。この部材１３６は、シェル１００の開口部１４２を貫通し、対向するシェル１０２のネジ山付き通路に螺合するネジ山付きロッド１４０へと延在する止め金具１３８を備えている。なお、アームおよび表示画面の重量によってカンチレバーが発生する力によって、自然なくさび作用により、ポール２２に対して選択された軸方向および角度位置にスターラップ１００を固定することができる。固定部在１３６は、単にポールに対する選択された位置にスターラップを固定するための安全装置を構成するものである。
【００６９】
図１０のボール３８は、中実ではなく中空となっている点において上述のものとは異なっている。つまり、ボール３８は、裏面７０に開いている凹部１４４を備えている。こうすることで、機械的強度を備えなくなるため使用される物質を考慮する必要があるが、ボールが軽量化され、成形による製造が容易となる。
【００７０】
このように、かさばることがなく、あらゆる位置に調節することが可能で、簡潔な構造の平面型液晶表示画面用の装置が得られる。所望の位置にくるように表示画面を直接動かすことで、ユーザーが表示画面の位置を容易に調節することができる。
【００７１】
このように、この装置はワークステーション、とりわけ、コンピュータデスクに容易に設置することができる。
【００７２】
本発明は、実施例、多数の変形例、および可能性例として上に述べられた実施形態に限定されるものではない。関節式機構としては、１つ以上の部品からなる別のタイプのアームを用いることも可能であることは当然のことである。
【図面の簡単な説明】
【００７３】
【図１】本発明による平面型液晶表示画面用の支持装置を示す斜視図である。
【図２】チューブ状アームの軸方向に見た場合の、図１に示した装置の断面図である。
【図３】保持構造の一部であるスターラップの正面図である。
【図４】チューブが縮められた状態にある場合を示す、装置の断面図である。
【図５】ボールがある位置にある場合の図２と同様の断面図である。
【図６】ボールが別の位置にある場合の図２と同様の断面図である。
【図７】ボールが別の位置にある場合の図２と同様の断面図である。
【図８】本発明の装置におけるスターラップの一部であるシェルの正面図である。
【図９】図８に対応する平面図である。
【図１０】本発明の他の実施形態におけるボールの軸方向断面図である。
【国際公開パンフレット】
2004522920.tif 000003
2004522920.tif 000004
2004522920.tif 000005
2004522920.tif 000006
2004522920.tif 000007
2004522920.tif 000008
2004522920.tif 000009
2004522920.tif 000010
2004522920.tif 000011
2004522920.tif 000012
2004522920.tif 000013
2004522920.tif 000014
2004522920.tif 000015
2004522920.tif 000016
2004522920.tif 000017
2004522920.tif 000018
2004522920.tif 000019
2004522920.tif 000020
2004522920.tif 000021
2004522920.tif 000022
2004522920.tif 000023
2004522920.tif 000024
【国際調査報告】
2004522920.tif 000025
2004522920.tif 000026
2004522920.tif 000027
2004522920.tif 000028
2004522920.tif 000029
2004522920.tif 000030